(57)【要約】【課題】操作者が体温の予測終了時と体温の実測終了時とを容易に区別することができる。【解決手段】電子体温計は、被検者の所定部位の温度を測定する測定部と、測定部の測定結果に基づいて、被検者の体温の予測値を算出可能及び被検者の体温の実測値を取得可能である制御部と、音出力部とを備える。音出力部は、制御部の制御に基づいて、予測値の算出処理が終了したときと実測値の取得処理が終了したときとで異なる態様の終了音を出力する。【選択図】図２
2019158845.tif 000002
【特許請求の範囲】
【請求項１】
被検者の所定部位の温度を測定する測定部と、
前記測定部の測定結果に基づいて、前記被検者の体温の予測値を算出可能及び前記被検者の体温の実測値を取得可能である制御部と、
前記制御部の制御に基づいて、前記予測値の算出処理が終了したときと前記実測値の取得処理が終了したときとで異なる態様の終了音を出力する音出力部と、を備える、電子体温計。
【請求項２】
前記制御部は、前記予測値の前記算出処理を終了してから切替期間が経過すると、前記実測値の前記取得処理を開始する、請求項１に記載の電子体温計。
【請求項３】
前記制御部は、前記切替期間中、前記音出力部に前記終了音を出力させる出力期間と、前記音出力部に前記終了音の出力を休止させる休止期間とを交互に繰り返す、請求項２に記載の電子体温計。
【請求項４】
前記制御部は、前記切替期間よりも短い報知期間中、前記音出力部に前記終了音を出力させる前記出力期間と、前記音出力部に前記終了音の出力を休止させる前記休止期間とを交互に繰り返す、請求項３に記載の電子体温計。
【請求項５】
前記休止期間は前記出力期間よりも長い、請求項３又は４に記載の電子体温計。
【請求項６】
前記制御部は、前記測定部により測定した温度が所定値以上低下したと判定するとき、前記音出力部に前記終了音の出力を停止させる、請求項１乃至５の何れか一項に記載の電子体温計。
【発明の詳細な説明】
【技術分野】
【０００１】
本開示は、電子体温計に関する。
【背景技術】
【０００２】
従来、被検者の体温を測定する機能として、被検者の体温を予測する機能及び被検者の体温を実測する機能を有する電子体温計が知られている（例えば、特許文献１）。特許文献１に記載の体温計は、体温の測定が終了すると、ブザー音を出力することにより、被検者等に体温の測定の終了を知らせている。
【先行技術文献】
【特許文献】
【０００３】
【特許文献１】特開２００７−２４５９５号公報
【発明の概要】
【発明が解決しようとする課題】
【０００４】
ところで、従来の電子体温計には、改善の余地がある。例えば、従来の電子体温計には、被検者等に体温の測定の終了を知らせる方法について改善の余地がある。
【０００５】
かかる点に鑑みてなされた本開示の目的は、操作者が体温の予測終了時と体温の実測終了時とを容易に区別することができる電子体温計を提供することにある。
【課題を解決するための手段】
【０００６】
本開示の第１態様としての電子体温計は、被検者の所定部位の温度を測定する測定部と、前記測定部の測定結果に基づいて、前記被検者の体温の予測値を算出可能及び前記被検者の体温の実測値を取得可能である制御部と、前記制御部の制御に基づいて、前記予測値の算出処理が終了したときと前記実測値の取得処理が終了したときとで異なる態様の終了音を出力する音出力部と、を備える。
【０００７】
本開示の１つの実施形態として、前記制御部は、前記予測値の前記算出処理を終了してから切替期間が経過すると、前記実測値の前記取得処理を開始する。
【０００８】
本開示の１つの実施形態として、前記制御部は、前記切替期間中、前記音出力部に前記終了音を出力させる出力期間と、前記音出力部に前記終了音の出力を休止させる休止期間とを交互に繰り返す。
【０００９】
本開示の１つの実施形態として、前記制御部は、前記切替期間よりも短い報知期間中、前記音出力部に前記終了音を出力させる前記出力期間と、前記音出力部に前記終了音の出力を休止させる休止期間とを交互に繰り返す。
【００１０】
本開示の１つの実施形態として、前記休止期間は前記出力期間よりも長い。
【００１１】
本開示の１つの実施形態として、前記制御部は、前記測定部により測定した温度が所定値以上低下したと判定するとき、前記音出力部に前記終了音の出力を停止させる。
【発明の効果】
【００１２】
本開示によれば、操作者が体温の予測終了時と体温の実測終了時とを容易に区別することができる電子体温計が提供され得る。
【図面の簡単な説明】
【００１３】
【図１】本開示の一実施形態に係る電子体温計の外観図である。
【図２】図１に示す電子体温計の機能ブロック図である。
【図３】図１に示す電子体温計の終了音の出力処理の一例を示すタイミングチャートである。
【図４】図３に示す出力期間の予測終了音の態様の一例を示す図である。
【図５】図１に示す電子体温計の予測値の算出処理を示すフローチャートである。
【図６】図１に示す電子体温計の出力期間の処理を示すフローチャートである。
【図７】図１に示す電子体温計の休止期間の処理を示すフローチャートである。
【図８】図１に示す電子体温計の実測値の取得処理を示すフローチャートである。
【発明を実施するための形態】
【００１４】
以下、本開示に係る実施形態について、図面を参照して説明する。以下、各図において共通の構成部には、同一符号を付す。なお、本開示において「被検者」は、電子体温計が体温を測定する対象者である。また、本開示において「操作者」は、電子体温計を操作する者である。例えば被検者が電子体温計を操作して電子体温計に自身の体温を測定させる場合、被検者は、操作者でもあり得る。
【００１５】
［電子体温計の構成］
図１は、本開示の一実施形態に係る電子体温計１の外観図である。電子体温計１は、外観上、筐体２と、キャップ３と、ディスプレイ４と、電源ボタン５とを備える。
【００１６】
筐体２は、合成樹脂等で形成されてよい。筐体２は、電子体温計１の内部構造を保護する。筐体２には、後述の記憶部１７及び制御部１８等が収容される。
【００１７】
キャップ３は、金属等で形成されてよい。キャップ３は、筐体２の先端部に配置される。キャップ３には、後述の測定部１１に含まれるサーミスタが収容される。キャップ３は、被検者の所定部位に挿入される。当該所定部位は、腋下、舌下及び直腸を含んでよい。
【００１８】
ディスプレイ４は、液晶ディスプレイ、有機ＥＬディスプレイ又は無機ＥＬディスプレイ等を含んで構成されてよい。ディスプレイ４は、後述の制御部１８の制御に基づいて、文字、記号及び画像等を含む各種情報を表示する。例えば、ディスプレイ４は、被検者の体温の予測値及び実測値を表示する。
【００１９】
電源ボタン５は、筐体２の末端部に配置される。電源ボタン５は、操作者によって操作される。
【００２０】
図２は、図１に示す電子体温計１の機能ブロック図である。電子体温計１は、被検者の体温の予測値を算出する機能と、被検者の体温の実測値を測定する機能とを有する。
【００２１】
電子体温計１は、測定部１１と、タイマ部１２と、音出力部１３と、表示部１４と、入力部１５と、電池１６と、記憶部１７と、制御部１８とを備える。
【００２２】
測定部１１は、サーミスタと、当該サーミスタの抵抗値を電気信号に変換する回路とを含んで構成されてよい。測定部１１は、被検者の所定部位の温度を測定する。測定部１１は、測定した温度を、制御部１８に出力する。
【００２３】
タイマ部１２は、制御部１８の制御に基づいて、時間をカウントする。タイマ部１２は、カウンタ回路等を含んで構成されてよい。
【００２４】
音出力部１３は、ブザー等を含んで構成されてよい。音出力部１３は、１ｋＨｚ〜５ｋＨｚ程度の音を出力可能に構成されてよい。音出力部１３は、制御部１８の制御に基づいて、音を出力する。例えば、音出力部１３は、制御部１８が図１に示す電源ボタン５に対する操作者の入力を検出したとき、音を出力する。
【００２５】
本実施形態では、音出力部１３は、制御部１８の制御に基づいて、被検者の体温の予測値の算出処理が終了したときと、被検者の体温の実測値の取得処理が終了したときとで、異なる態様の終了音を出力する。以後、被検者の体温の予測値の算出処理が終了したときに音出力部１３が出力する音は、「予測終了音」と記載する。被検者の体温の実測値の取得処理が終了したときに音出力部１３が出力する音は、「実測終了音」と記載する。予測終了音及び実測終了音の態様については、後述する。
【００２６】
表示部１４は、図１に示すディスプレイ４を含んでよい。さらに、表示部１４は、ディスプレイ４を照らすバックライトを含んでよい。バックライトは、例えばＬＥＤであってよい。
【００２７】
入力部１５は、電子体温計１に対する操作者の操作を受付ける。入力部１５は、図１に示す電源ボタン５を含んでよい。さらに、入力部１５は、音量調整ボタン等を含んでよい。
【００２８】
電池１６は、電子体温計１に含まれる各構成要素に電力を供給する。電池１６は、リチウムコイン電池等の一次電池であってよい。又は、電池１６は、二次電池であってよい。
【００２９】
記憶部１７は、半導体メモリ又は磁気メモリ等で構成されてよい。記憶部１７は、各種情報及び／又は電子体温計１を動作させるためのプログラム等を記憶する。記憶部１７は、ワークメモリとして機能してもよい。
【００３０】
例えば、記憶部１７は、体温の予測値の算出に用いられる予測式を記憶する。また、記憶部１７は、被検者の体温の予測値等を記憶する。
【００３１】
制御部１８は、電子体温計１を構成する各機能ブロックをはじめとして、電子体温計１の全体を制御及び管理するプロセッサである。制御部１８は、制御手順を規定したプログラムを実行するＣＰＵ（Central Processing Unit）等のプロセッサ又は各機能の処理に特化した専用のプロセッサで構成されてよい。
【００３２】
制御部１８は、入力部１５に含まれる図１に示す電源ボタン５に対する操作者の入力に基づいて、電子体温計１を起動させる。電子体温計１の起動後に図１に示すキャップ３が被検者の所定部位に挿入されると、制御部１８は、体温の予測値の算出処理を開始する。制御部１８は、体温の予測値の算出処理を終了すると、音出力部１３に予測終了音を出力させる。さらに、制御部１８は、体温の予測値の算出処理を終了してから切替時間が経過すると、体温の実測値の取得処理を開始する。切替時間は、測定部１１により測定される温度と被検者の所定部位の温度とがほぼ平衡状態になるまでの時間を想定して、設定されてよい。例えば、切替時間は、５分間である。制御部１８は、体温の実測値の取得処理を終了すると、音出力部１３に実測終了音を出力させる。以下、これらの処理の詳細を説明する。
【００３３】
［予測値の算出処理］
制御部１８は、電子体温計１を起動させると、所定間隔で、測定部１１により温度をサンプリングする。例えば、制御部１８は、０．５秒の間隔で、温度をサンプリングする。
【００３４】
制御部１８は、測定部１１によりサンプリングした温度が所定条件を満たすと、予測値の算出処理を開始する。所定条件は、サンプリングした温度が所定値以上であるとの条件であってよい。所定値は、３０℃であってよい。所定条件が満たされるとき、すなわち、サンプリングした温度が所定値以上であるときは、図１に示すキャップ３が被検者の所定部位に挿入されたときであり得る。
【００３５】
制御部１８は、予測値の算出処理では、サンプリングした温度と、記憶部１７に格納された予測式とに基づいて、複数の予測値を算出する。例えば、制御部１８は、所定条件を満たすと判定してから所定時間（例えば、２５秒）経過した後の一定区間（例えば、５秒間）において、複数の予測値を算出する。制御部１８は、算出した複数の予測値が所定範囲（例えば、０．１℃）内に収まっているとき、予測成立条件を満たすと判定する。
【００３６】
制御部１８は、予測成立条件を満たすと判定すると、予測値の算出処理を終了する。このとき、制御部１８は、体温の予測値を、表示部１４に表示させる。また、制御部１８は、体温の予測値を、記憶部１７に格納する。
【００３７】
制御部１８は、予測値の算出処理を終了するとき、切替期間等のカウントのために、タイマ部１２によるカウントを開始する。
【００３８】
［終了音の出力処理］
制御部１８は、予測値の算出処理を終了すると、音出力部１３に予測終了音を出力させる。制御部１８は、音出力部１３に終了音を出力させる出力期間と、音出力部１３に終了音の出力を休止させる休止期間とを交互に繰り返す。休止期間は、出力時間と同一の長さであってもよいし、出力期間よりも長くてよい。例えば、出力期間は、３秒間である。例えば、休止期間は、５秒間である。また、例えば、休止期間は、１５秒間としてもよい。なお、制御部１８は、切替期間中、出力期間と休止期間とを交互に繰り返してもよい。例えば、制御部１８は、切替期間中、常に、出力期間と休止期間とを交互に繰り返してよい。又は、制御部１８は、切替期間よりも短い報知期間中、出力期間と休止期間とを交互に繰り返してもよい。例えば、報知期間は、切替期間が５分間である場合、３０秒間から１分間程度の期間としてよい。
【００３９】
制御部１８は、実測値の取得処理を終了すると、実測終了音を出力させる。制御部１８は、予測終了音とは異なる態様の実測終了音を、音出力部１３に出力させる。制御部１８は、予測終了音の周波数とは異なる周波数の実測終了音を、音出力部１３に出力させてよい。また、制御部１８は、予測終了音の出力態様とは異なる出力態様で、実測終了音を、音出力部１３に出力させてよい。例えば、制御部１８は、出力期間と休止期間とを交互に繰り返しながら音出力部１３に実測終了音を出力させる場合、１つの出力期間に相当する期間、実測終了音を音出力部１３に出力させてよい。例えば出力期間が３秒である場合、制御部１８は、３秒間、実測終了音を音出力部１３に出力させてよい。
【００４０】
図３は、図１に示す電子体温計１の終了音の出力処理の一例を示すタイミングチャートである。図４は、図３に示す出力期間の予測終了音の態様の一例を示す図である。図３では、出力期間は３秒であり、休止期間は５秒である。また、図３では、制御部１８は、報知期間中、出力期間と休止期間とを交互に繰り返すものとする。
【００４１】
図３に示すタイミングｔ１で、制御部１８は、予測値の算出処理を終了する。制御部１８は、出力期間と休止期間とを交互に繰り返しながら音出力部１３に予測終了音を出力させる。タイミングｔ１で、制御部１８は、タイマ部１２によるカウントを開始する。制御部１８は、出力期間では、図４に示すように、４ｋＨｚ（ピ）の音と２．７ｋＨｚ（ポ）の音とを交互に音出力部１３に出力させてよい。
【００４２】
図３に示すタイミングｔ２で、制御部１８は、タイマ部１２のカウントに基づいて、予測値の算出処理が終了してから報知期間が経過したと判定する。タイミングｔ２で、制御部１８は、音出力部１３に予測終了音の出力を停止させる。
【００４３】
図３に示すタイミングｔ３で、制御部１８は、タイマ部１２の切替時間のカウントに基づいて、予測値の算出処理が終了してから切替期間が経過したと判定する。タイミングｔ３で、制御部１８は、実測値の取得処理を開始する。
【００４４】
図３に示すタイミングｔ３から後述の実測時間が経過したタイミングｔ４で、制御部１８は、実測値の取得処理を終了する。タイミングｔ４で、制御部１８は、音出力部１３に実測終了音を出力させる。例えば、制御部１８は、３秒間、実測終了音を出力させる。
【００４５】
図３に示すタイミングｔ５で、制御部１８は、音出力部１３に実測終了音の出力を停止させる。
【００４６】
図２に示す制御部１８は、切替期間中に予測終了音を音出力部１３に出力させる場合、切替期間が経過する前に、測定部１１により取得した温度が所定値以上低下したと判定するとき、音出力部１３に予測終了音の出力を停止させてよい。所定値は、例えば０．４℃であってよい。例えば、制御部１８は、所定時間内に、測定部１１によりサンプリングした複数の温度のうちピーク値となる温度を、当該判定処理に用いてよい。この場合、制御部１８は、現在のピーク値が前回のピーク値よりも所定値以上低下したとき、音出力部１３に予測終了音の出力を停止させてよい。なお、当該判定処理に用いられる温度は、ピーク値に限定されない。例えば、当該判定処理には、複数の温度の平均値若しくは移動平均値が用いられてもよい。ここで、測定部１１により取得した温度が所定値以上低下したときは、図１に示すキャップ３が被検者の所定部位から抜去されたときであり得る。このような処理によって、制御部１８は、キャップ３が被検者の所定部位から抜去されたとき、音出力部１３に予測終了音の出力を停止させることができる。
【００４７】
同様に、制御部１８は、報知期間中に予測終了音を音出力部１３に出力させる場合、報知期間が経過する前に、測定部１１により取得した温度が所定値以上低下したと判定するとき、音出力部１３に予測終了音の出力を停止させてよい。
【００４８】
なお、制御部１８は、切替期間中又は報知期間中に測定部１１により取得した温度が所定値以上低下したか否かを判定する場合、出力期間及び休止期間の両期間において、測定部１１により取得した温度が所定値以上低下したか否かを判定してよい。又は、制御部１８は、出力期間又は休止期間の何れかの期間において、測定部１１により取得した温度が所定値以上低下したか否かを判定してよい。
【００４９】
［実測値の取得処理］
制御部１８は、切替期間が経過すると、実測値の取得処理を開始する。また、制御部１８は、実測値の取得処理を開始するとき、タイマ部１２によるカウントを開始する。制御部１８は、タイマ部１２のカウントに基づいて実測期間が経過するまで、定期的に、測定部１１により取得した温度を、表示部１４に表示させる。実測期間は、測定部１１により測定される温度と被検者の所定部位の温度とが平衡状態になるまでの時間を想定して、設定されてよい。実測期間は、例えば５分間であってよい。
【００５０】
制御部１８は、実測値の取得処理を開始してから実測期間が経過すると、実測値の取得処理を終了する。制御部１８は、実測期間が経過したときに取得した温度を、実測値としてよい。制御部１８は、実測値を、表示部１４に表示させる。また、制御部１８は、上述のように、実測値の取得処理を終了すると、音出力部１３に実測終了音を出力させる。
【００５１】
［予測値の算出動作］
図５は、図１に示す電子体温計１の予測値の算出処理を示すフローチャートである。制御部１８は、入力部１５に含まれる電源ボタン５に対する操作者の入力に基づいて、処理を開始する。
【００５２】
制御部１８は、測定部１１によりサンプリングした温度が所定条件を満たすか否かを判定する（ステップＳ１０）。制御部１８は、サンプリングした温度が所定条件を満たすと判定するとき（ステップＳ１０：Ｙｅｓ）、ステップＳ１１の処理に進む。一方、制御部１８は、サンプリングした温度が所定条件を満たすと判定しないとき（ステップＳ１０：Ｎｏ）、再びステップＳ１０の処理を実行する。
【００５３】
制御部１８は、予測成立条件を満たすか否かを判定する（ステップＳ１１）。制御部１８は、予測成立条件を満たすと判定するとき（ステップＳ１１：Ｙｅｓ）、ステップＳ１２の処理に進む。一方、制御部１８は、予測成立条件を満たすと判定しないとき（ステップＳ１１：Ｎｏ）、再びステップＳ１１の処理を実行する。
【００５４】
ステップＳ１２の処理では、制御部１８は、予測値の算出処理を終了する。ステップＳ１３の処理では、制御部１８は、体温の予測値を、表示部１４に表示させる。さらに、ステップＳ１３の処理では、制御部１８は、体温の予測値を、記憶部１７に格納する。
【００５５】
ステップＳ１４の処理では、制御部１８は、タイマ部１２によるカウントを開始する。制御部１８は、ステップＳ１４の処理を実行した後、図６に示すステップＳ２０の処理に進む。
【００５６】
［予測終了音の出力動作］
図６は、図１に示す電子体温計１の出力期間の処理を示すフローチャートである。制御部１８は、図５に示す処理を終了すると、図６に示す処理を開始する。
【００５７】
制御部１８は、音出力部１３に予測終了音を出力させる（ステップＳ２０）。制御部１８は、図５に示すステップＳ１４の処理で開始したタイマ部１２のカウントに基づいて、予測値の算出処理が終了してから報知期間が経過したか否かを判定する（ステップＳ２１）。制御部１８は、予測値の算出処理が終了してから報知期間が経過したと判定するとき（ステップＳ２１：Ｙｅｓ）、ステップＳ２２の処理に進む。一方、制御部１８は、予測値の算出処理が終了してから報知期間が経過したと判定しないとき（ステップＳ２１：Ｎｏ）、ステップＳ２４の処理に進む。
【００５８】
ステップＳ２２の処理では、制御部１８は、音出力部１３に予測終了音の出力を停止させる。このようなステップＳ２１，Ｓ２２の処理によって、制御部１８は、報知期間が経過した後、音出力部１３に予測終了音の出力を停止させることができる。
【００５９】
ステップＳ２３の処理では、制御部１８は、図５に示すステップＳ１４の処理で開始したタイマ部１２のカウントに基づいて、予測値の算出処理が終了してから切替時間が経過したか否かを判定する。制御部１８は、予測値の算出処理が終了してから切替時間が経過したと判定するとき（ステップＳ２３：Ｙｅｓ）、図８に示すステップＳ４０の処理に進む。一方、制御部１８は、予測値の算出処理が終了してから切替時間が経過したと判定しないとき（ステップＳ２３：Ｎｏ）、再びステップＳ２３の処理を実行する。
【００６０】
ステップＳ２４の処理では、制御部１８は、図５に示すステップＳ１４の処理で開始したタイマ部１２のカウントに基づいて、予測値の算出処理が終了してから切替時間が経過したか否かを判定する。制御部１８は、予測値の算出処理が終了してから切替時間が経過したと判定するとき（ステップＳ２４：Ｙｅｓ）、図８に示すステップＳ４０の処理に進む。一方、制御部１８は、予測値の算出処理が終了してから切替時間が経過したと判定しないとき（ステップＳ２４：Ｎｏ）、ステップＳ２５の処理を実行する。
【００６１】
ステップＳ２５の処理では、制御部１８は、測定部１１により温度を取得する。制御部１８は、ステップＳ２５の処理で取得した温度が所定値以上低下したか否かを判定する（ステップＳ２６）。制御部１８は、温度が所定値以上低下したと判定するとき（ステップＳ２６：Ｙｅｓ）、ステップＳ２７の処理に進む。一方、制御部１８は、温度が所定値以上低下したと判定しないとき（ステップＳ２６：Ｎｏ）、ステップＳ２８の処理に進む。
【００６２】
ステップＳ２７の処理では、制御部１８は、音出力部１３に予測終了音の出力を停止させる。このようなステップＳ２６，Ｓ２７の処理によって、制御部１８は、キャップ３が被検者の所定部位から抜去されたとき、音出力部１３に予測終了音の出力を停止させることができる。
【００６３】
ステップＳ２８の処理では、制御部１８は、図５に示すステップＳ１４の処理で開始したタイマ部１２のカウントに基づいて、ステップＳ２０の処理を実行してから出力期間が経過したか否かを判定する。制御部１８は、ステップＳ２０の処理を実行してから出力期間が経過したと判定するとき（ステップＳ２８：Ｙｅｓ）、図７に示すステップＳ３０の処理に進む。一方、制御部１８は、ステップＳ２０の処理を実行してから出力期間が経過したと判定しないとき（ステップＳ２８：Ｎｏ）、ステップＳ２１の処理に戻る。
【００６４】
図７は、図１に示す電子体温計１の休止期間の処理を示すフローチャートである。制御部１８は、図６に示すステップＳ２０の処理を実行してから出力期間が経過すると、図７に示す処理を開始する。
【００６５】
制御部１８は、音出力部１３に予測終了音の出力を休止させる（ステップＳ３０）。
【００６６】
制御部１８は、図６に示すステップＳ２１〜Ｓ２７の処理と同様にして、ステップＳ３１〜Ｓ３７の処理を実行する。
【００６７】
ステップＳ３８の処理では、制御部１８は、図５に示すステップＳ１４の処理で開始したタイマ部１２のカウントに基づいて、ステップＳ３０の処理を実行してから休止期間が経過したか否かを判定する。制御部１８は、ステップＳ３０の処理を実行してから休止期間が経過したと判定するとき（ステップＳ３８：Ｙｅｓ）、図６に示すステップＳ２０の処理に進む。一方、制御部１８は、ステップＳ３０の処理を実行してから休止期間が経過したと判定しないとき（ステップＳ３８：Ｎｏ）、ステップＳ３１の処理に戻る。
【００６８】
［実測値の取得動作］
図８は、図１に示す電子体温計１の実測値の取得処理を示すフローチャートである。制御部１８は、図５に示す予測値の算出処理を終了してから切替期間が経過すると、図８に示す処理を開始する。
【００６９】
制御部１８は、実測値の取得処理を開始するとき、タイマ部１２によるカウントを開始する（ステップＳ４０）。
【００７０】
制御部１８は、ステップＳ４０の処理で開始したタイマ部１２のカウントに基づいて、実測値の取得処理を開始してから実測期間が経過したか否かを判定する（ステップＳ４１）。制御部１８は、実測値の取得処理を開始してから実測期間が経過したと判定するとき（ステップＳ４１：Ｙｅｓ）、ステップＳ４３の処理に進む。一方、制御部１８は、実測値の取得処理を開始してから実測期間が経過したと判定しないとき（ステップＳ４１：Ｎｏ）、ステップＳ４２の処理に進む。
【００７１】
ステップＳ４２の処理では、制御部１８は、定期的に、測定部１１により取得した温度を、表示部１４に表示させる。ステップＳ４２の処理を実行すると、制御部１８は、ステップＳ４１の処理に戻る。
【００７２】
ステップＳ４３の処理では、制御部１８は、実測値の取得処理を終了する。制御部１８は、実測期間が経過したときに取得した温度を、実測値としてよい。ステップＳ４４の処理では、制御部１８は、実測値を、表示部１４に表示させる。ステップＳ４５の処理では、制御部１８は、音出力部１３に実測終了音を出力させる。
【００７３】
以上述べた本実施形態に係る電子体温計１では、音出力部１３は、予測値の算出処理が終了したときと実測値の取得処理が終了したときとで異なる態様の終了音を出力する。このような処理によって、操作者は、予測値の算出処理の終了時と、実測値の取得処理の終了時とを、容易に区別することができる。従って、本実施形態によれば、操作者が体温の予測終了時と体温の実測終了時とを容易に区別することができる電子体温計１が提供され得る。
【００７４】
さらに、本実施形態に係る制御部１８は、切替期間中、出力期間と休止期間とを交互に繰り返しながら、音出力部１３に予測終了音を出力させることができる。音出力部１３に予測終了音を出力させる際、音出力部１３に予測終了音の出力を休止させる休止期間を設けることで、音出力部１３の消費電力を低減させることができる。音出力部１３の消費電力を低減させることで、電子体温計１の消費電力を低減させることができる。
【００７５】
加えて、本実施形態では、休止期間を出力期間よりも長くすることができる。休止期間を出力期間よりも長くすることで、電子体温計１の消費電力をより低減させることができる。
【００７６】
また、本実施形態に係る制御部１８は、切替時間よりも短い報知期間中、出力期間と休止期間とを交互に繰り返しながら、音出力部１３に予測終了音を出力させることができる。切替時間よりも短い報知期間中に音出力部１３に予測終了音を出力させることで、音出力部１３の消費電力を低減させることができる。音出力部１３の消費電力を低減させることで、電子体温計１の消費電力を低減させることができる。
【００７７】
また、本実施形態に係る制御部１８は、切替期間又は報知期間が経過する前に、測定部１１により測定した温度が所定値以上低下したと判定するとき、音出力部１３に予測終了音の出力を停止させることができる。このような処理によって、キャップ３が被検者の所定部位から抜去されたとき、音出力部１３に予測終了音の出力を停止させることができる。キャップ３が被検者の所定部位から抜去されたときに音出力部１３に予測終了音の出力を停止させることで、不要な予測終了音を音出力部１３に出力させることを防ぐことができる。不要な予測終了音を音出力部１３に出力させることを防ぐことで、電子体温計１の消費電力を低減させることができる。
【００７８】
本開示は、上述した各実施形態で特定された構成に限定されるものではなく、特許請求の範囲に記載した内容を逸脱しない範囲内で種々の変形が可能である。
【産業上の利用可能性】
【００７９】
本開示は、電子体温計に関する。
【符号の説明】
【００８０】
１  電子体温計
２  筐体
３  キャップ
４  ディスプレイ
５  電源ボタン
１１  測定部
１２  タイマ部
１３  音出力部
１４  表示部
１５  入力部
１６  電池
１７  記憶部
１８  制御部
【図１】
2019158845.tif 000003
【図２】
2019158845.tif 000004
【図３】
2019158845.tif 000005
【図４】
2019158845.tif 000006
【図５】
2019158845.tif 000007
【図６】
2019158845.tif 000008
【図７】
2019158845.tif 000009
【図８】
2019158845.tif 000010